(57)【要約】本発明は、繊維ストリップの機械方向の湿潤特性およびカールの両方に影響を与えるために使用される湿潤ユニットを具備する、繊維ストリップ、特に紙または厚紙ストリップを製造および／または処理するための装置に関する。湿潤特性およびカールに別個に影響を与えることができる。
2005538267.tif 000002
【特許請求の範囲】
【請求項１】
繊維ウェブ（１２）の機械横方向の湿潤特性およびカールの両方に同時に影響を与えるために使用される湿潤ユニット（２２）を有する、繊維ウェブ（１２）、特に紙または厚紙ウェブを製造および／または処理するための装置（１０）であって、前記機械横方向の湿潤特性および前記カールに互いに無関係に影響を与えることが可能である装置（１０）。
【請求項２】
前記湿潤ユニットが、繊維ウェブ（１２）の前記機械横方向の湿潤特性および前記カールの両方に同時に影響を与えるために使用されるノズル湿潤器（２２）を有することを特徴とする、請求項１に記載の装置。
【請求項３】
ノズル湿潤器（２２）に空気噴霧器ノズルが設けられることを特徴とする、請求項２に記載の装置。
【請求項４】
ノズル湿潤器（２２）に２物質ノズル（２６）が設けられることを特徴とする、請求項１〜３のいずれか１項に記載の装置。
【請求項５】
ノズル（２６）の合計流量を前記ノズルの数で除算して決定されたノズル湿潤器（２２）のノズル（２６）の平均流量が、≧１５リットル／時間であることを特徴とする、請求項１〜４のいずれか１項に記載の装置。
【請求項６】
ノズル湿潤器（２２）のノズル（２６）の平均流量が、１５リットル／時間〜３０リットル／時間の範囲、好ましくは１５リットル／時間〜２０リットル／時間の範囲にあることを特徴とする、請求項５に記載の装置。
【請求項７】
湿潤ユニット（２２）によって発生される各スプレジェット（２８）において、ザウターによる液滴直径が、それぞれのノズル流量に関係なく、≦１００μｍであることを特徴とする、請求項１〜６のいずれか１項に記載の装置。
【請求項８】
運転中、平均ノズル流量が少なくとも実質的に一定に維持されることを特徴とする、請求項１〜７のいずれか１項に記載の装置。
【請求項９】
それぞれのノズル流量が、前記機械横方向の湿潤特性に影響を与えるための割合と前記カールに影響を与えるための割合とから構成されることを特徴とする、請求項１〜８のいずれか１項に記載の装置。
【請求項１０】
ベース負荷として設けられた前記カールに影響を与えるための割合が、合計ノズル流量の１０〜５０％の範囲にあるかまたは調整できることを特徴とする、請求項９に記載の装置。
【請求項１１】
前記ベース負荷として設けられた前記カールに影響を与えるための割合が、ウェブ幅にわたりセクション毎に異なって調整できることを特徴とする、請求項１〜１０のいずれか１項に記載の装置。
【請求項１２】
前記ベース負荷として設けられた前記カールに影響を与えるための割合が、ウェブ幅にわたって一定であることを特徴とする、請求項１〜１０のいずれか１項に記載の装置。
【請求項１３】
湿潤装置（２２）の容量が、前記カールのベース負荷にもかかわらず、前記機械横方向の湿潤特性に影響を与えるために十分な可能性がある程度に、十分に高く選択されることを特徴とする、請求項１〜１２のいずれか１項に記載の装置。
【請求項１４】
前記カールに影響を与えることに関係する前記ノズルの平均流量の割合が、≧２リットル／時間、特に≧３リットル／時間、好ましくは≧４リットル／時間であることを特徴とする、請求項１〜１３のいずれか１項に記載の装置。
【請求項１５】
湿潤ユニット（２２）が、各々の場合にウェブ走行方向（Ｌ）に対し横断方向に延在する複数列のノズル（２６）を備えることを特徴とする、請求項１〜１４のいずれか１項に記載の装置。
【請求項１６】
２列または４列のノズル（２６）が設けられることを特徴とする、請求項１５に記載の装置。
【請求項１７】
５、６、７または８列、好ましくは６列または８列のノズル（２６）が設けられることを特徴とする、請求項１５に記載の装置。
【請求項１８】
ノズル湿潤器（２２）のすべてのノズル（２６）が、繊維ウェブ（１２）の機械横方向の湿潤特性およびかつカールの両方に同時に影響を与えるために使用されることを特徴とする、請求項１〜１７のいずれか１項に記載の装置。
【請求項１９】
ノズル湿潤器（２２）のノズル（２６）のいくつかが、前記機械横方向の湿潤特性に影響を与えるためにもっぱら使用され、またノズル（２６）のいくつかが、前記カールに影響を与えるためにもっぱら使用されることを特徴とする、請求項１〜１７のいずれか１項に記載の装置。
【請求項２０】
ノズル湿潤器（２２）のノズル（２６）のいくつかが、繊維ウェブ（１２）の機械横方向の湿潤特性およびカールの両方に同時に影響を与えるために使用され、またノズル（２６）のいくつかが、前記カールに影響を与えるためにもっぱら使用されることを特徴とする、請求項１〜１７のいずれか１項に記載の装置。
【請求項２１】
ノズル湿潤器（２２）のノズル（２６）のいくつかが、繊維ウェブ（１２）の機械横方向の湿潤特性およびカールの両方に同時に影響を与えるために使用され、ノズル（２６）のいくつかが、前記機械横方向の湿潤特性に影響を与えるためにもっぱら使用されることを特徴とする、請求項１〜１７のいずれか１項に記載の装置。
【請求項２２】
前記機械横方向の湿潤特性に影響を与えるために前記湿潤ユニットによって放出されるスプレ体積を、横方向で見てセクションごとに別個に調整できることを特徴とする、請求項１〜２１のいずれか１項に記載の装置。
【請求項２３】
複数列のノズルが設けられ、各ノズルを個別に調整できることを特徴とする、請求項１９に記載の装置。
【請求項２４】
少なくとも１つの閉および／または開制御ループ（３４）が、前記機械横方向の湿潤特性に少なくとも影響を与えるために設けられることを特徴とする、請求項１〜２３のいずれか１項に記載の装置。
【請求項２５】
前記カールに対する影響の閉ループまたは開ループ制御が、平均ウェブ水分、特に実験室試験で決定された前記カールの大きさの関数として実施されることを特徴とする、請求項１〜２４のいずれか１項に記載の装置。
【請求項２６】
湿潤ユニット（２２）が、繊維ウェブの乾燥率が≧８０％、好ましくは≧８５％である領域に配置されることを特徴とする、請求項１〜２５のいずれか１項に記載の装置。
【請求項２７】
セクション化またはゾーン分割が可変であることを特徴とする、請求項１〜２６のいずれか１項に記載の装置。
【請求項２８】
前記ゾーン幅が、２５〜１００ｍｍの範囲で変更できることを特徴とする、請求項２７に記載の装置。
【請求項２９】
湿潤ユニット（２２）が、単一列の乾燥グループ内の下方ロールの下に配置されることを特徴とする、請求項１〜２８のいずれか１項に記載の装置。
【請求項３０】
湿潤ユニット（２２）が、最後または最後から２番目の乾燥グループの最後の吸引ロールに取り付けられることを特徴とする、請求項１〜２９のいずれか１項に記載の装置。
【請求項３１】
乾燥セクションに続くカレンダ装置の前またはその中で、前記繊維ウェブのカールまたは平坦度および表面仕上げにさらに影響を与えるために、蒸気送風機ボックスが設けられることを特徴とする、請求項１〜３０のいずれか１項に記載の装置。
【請求項３２】
紙または厚紙の完全にまたは部分的に片側の乾燥を有するか、あるいは片側の表面処理、例えばサイジングまたはコーティングを有するか、あるいは非対称の層構造を有する製紙工程における、請求項１〜３１のいずれか１項に記載の装置（１０）の使用。
【請求項３３】
繊維ウェブ、特に紙または厚紙を製造および／または処理するための方法であって、前記繊維ウェブの機械横方向の湿潤特性およびカールに影響を与えるために、共通の湿潤ユニットが使用され、該湿潤ユニットを介して、前記機械横方向の湿潤特性および前記カールに互いに別個に影響を与えることができる方法。
【請求項３４】
運転中、前記ノズルの合計流量を前記ノズルの数で除算して決定された前記平均ノズル流量が、少なくとも実質的に一定に維持されることを特徴とする、請求項３３に記載の方法。
【請求項３５】
適切な閉ループ制御および／または開ループ制御を介して、前記機械横方向の湿潤特性に所望の方法で影響を与えることを特徴とする、請求項１〜３４のいずれか１項に記載の方法。
【請求項３６】
適切な閉ループ制御および／または開ループ制御を介して、前記カールに所望の方法で影響を与えることを特徴とする、請求項１〜３５のいずれか１項に記載の方法。
【請求項３７】
前記カールに対する影響が、平均ウェブ水分、特に実験室試験で決定された前記カールの大きさの関数として開ループ制御および／または閉ループ制御に施されることを特徴とする、請求項１〜３６のいずれか１項に記載の方法。
【請求項３８】
使用する前記湿潤ユニットがノズル湿潤器であることと、前記ノズル湿潤器のすべてのノズルが、前記繊維ウェブの機械横方向の湿潤特性およびカールの両方に同時に影響を与えるために使用されることを特徴とする、請求項１〜３７のいずれか１項に記載の方法。
【請求項３９】
使用する前記湿潤ユニットがノズル湿潤器であることと、前記ノズル湿潤器の前記ノズルのいくつかが、前記機械横方向の湿潤特性に影響を与えるためにもっぱら使用されることと、前記ノズルのいくつかが、前記カールに影響を与えるためにもっぱら使用されることを特徴とする、請求項３３〜３７のいずれか１項に記載の方法。
【請求項４０】
使用する前記湿潤ユニットがノズル湿潤器であることと、前記ノズル湿潤器のノズルのいくつかが、前記繊維ウェブの機械横方向の湿潤特性およびカールの両方に同時に影響を与えるために使用されることと、前記ノズルのいくつかが、前記カールに影響を与えるためにもっぱら使用されることを特徴とする、請求項３３〜３７のいずれか１項に記載の方法。
【請求項４１】
使用する前記湿潤ユニットがノズル湿潤器であることと、前記ノズル湿潤器のノズルのいくつかが、前記繊維ウェブの機械横方向の湿潤特性およびカールの両方に同時に影響を与えるために使用されることと、前記ノズルのいくつかが、前記機械横方向の湿潤特性に影響を与えるためにもっぱら使用されることを特徴とする、請求項３３〜３７のいずれか１項に記載の方法。
【発明の詳細な説明】
【技術分野】
【０００１】
本発明は、繊維ウェブ、特に紙または厚紙ウェブを製造および／または処理するための装置および方法に関する。
【背景技術】
【０００２】
紙ウェブのカールに影響を与えるために、例えば水がノズルによって紙ウェブ幅にわたって均一に適用される。水を片側に適用するか、あるいは両側に適用する場合、２つの側面に異なる量の水を少なくとも適用することが重要である。乾燥工程中のウェブの頂面と下側との間の繊維の膨潤の変化は、これによって特定の方法で影響を受け、カール挙動が適切に補正される。
【０００３】
ノズルを介してまたは特定のロールアプリケータを介して、水を適用することができる。特に高品質紙の場合、可能な限り最善の機械横方向の湿潤特性にさらに注意を払わなければならない。このことは、セクション毎に制御できるノズル湿潤器によって達成される。
【０００４】
従来、カールおよび機械横方向の湿潤特性に同時に影響を与えるために、各々の場合に、別個の装置が必要であった。しかし、このような公知の設計は、投資および保守に関して非常に高価である。
【０００５】
機械横方向の湿潤特性を設定するために従来使用されてきたノズル湿潤器では、ノズル当たりの最大適用量は、≦１００μｍのザウターによる液滴直径で１２〜１５リットル／時間の範囲にある。ザウター直径として公知のものは、スプレ特性評価のために使用される平均直径である。この直径を有する液滴は、全体の（スプレ）サンプル、すなわち、すべての表面積および容積の和と同一の容積比を有する。
【０００６】
従来使用されてきた装置の場合、カール、すなわち紙の平坦度の補正は、少なくとも乾燥セクションの端部で２列構成の乾燥シリンダによって、あるいは乾燥セクションの後の紙の下側に蒸気を適用することによって、および／または紙ウェブの下側に水を追加適用することによって実施される。
【０００７】
従来の公知の装置では、結果として、ある程度比較的劣った紙の平坦度が得られる。
【発明の開示】
【発明が解決しようとする課題】
【０００８】
本発明は、前述の不都合が除去される冒頭に述べた種類の改良された装置および改良された方法を提供する目的に基づいている。
【課題を解決するための手段】
【０００９】
本発明によれば、上記目的は、繊維ウェブの機械横方向の湿潤特性およびカールの両方に同時に影響を与えるために使用される湿潤ユニットを有する、繊維ウェブ、特に紙または厚紙ウェブを製造および／または処理するための装置によって達成され、機械横方向の湿潤特性およびカールに互いに無関係に影響を与えることが可能である。
【００１０】
この設計に基づき、単一のコンパクトユニットによって、例えば、単一のノズル湿潤器によって、機械横方向の湿潤特性およびカールの補正が今や可能である。これは、とりわけ新聞用紙、特にオンライン工程（プレスおよびスーパカレンダ）で製造されるＳＣ用紙のようなグラフィック紙の場合に著しい利点である。
【００１１】
したがって、本発明によれば、２つの要件または関数（機械横方向の湿潤特性、平坦度）が組み合わせられ、単一ユニットで実施される。したがって、例えば、繊維ウェブの平坦度を確保するために全幅にわたって同時にウェブの最小限の再湿潤を行いつつ、繊維ウェブの機械横方向の湿潤特性の均等化が可能である。確実な機械横方向の湿潤特性の制御および平坦度の補正が、より高い機械速度においてさえも、すなわち、湿潤ユニットの領域内のウェブのより短い滞留時間で保証される。本発明による装置は、特に高い坪量の紙に適切である。
【００１２】
同様に、単一の湿潤ユニットの使用にもかかわらず、平行してのみならず、また互いに無関係に、２つの関数（機械横方向の湿潤特性、カール）を満たすことができることが特に重要である。
【００１３】
本発明による装置の好ましい実施形態によれば、湿潤ユニットは、繊維ウェブの機械横方向の湿潤特性およびカールの両方に同時に影響を与えるために同時に使用されるノズル湿潤器を備える。
【００１４】
ノズル湿潤器に空気噴霧器ノズルを設けることができる。
【００１５】
ノズル湿潤器には、２物質ノズルを設けることが有利である。これらの湿潤器は、例えば、独国特許出願公開第  １９９  ４９  ２３６  Ａ号明細書に記載されているような構造を有することができる。したがって、特に気体状媒体と液体状媒体が加えられる２物質噴霧ノズルを使用することが可能である。
【００１６】
ノズルの合計流量をノズルの数で除算して決定されたノズル湿潤器のノズルの平均流量は、≧１５リットル／時間であることが好ましい。この場合、ノズル湿潤器のノズルの平均流量は、１５リットル／時間〜３０リットル／時間の範囲、好ましくは１５リットル／時間〜２０リットル／時間の範囲にあることができる。
【００１７】
すべてのノズルの平均流量は、可能ならば、１５リットル／時間以上であるべきである。この場合、平均ノズル流量は、ノズルの合計数に対する湿潤ユニットの合計流量の比率によって規定される。
【００１８】
湿潤ユニットによって発生される各スプレジェットでは、ザウターによる液滴直径は、それぞれのノズル流量に関係なく、≦１００μｍであることが好ましい。したがって、特に、例えば、ｖ≧１２００ｍ／分、特に≧１４００ｍ／分の高いウェブ走行速度でも、それぞれのスプレジェットの液滴サイズ分布が、より高いノズル流量においてさえもなお十分に微細であることが保証される。本発明による湿潤ユニットでは、ノズル流量は公知のノズル湿潤器におけるよりも高いが、この理由は、流量がカールに影響を与えるための割合と機械横方向の湿潤特性に影響を与えるための割合とから構成されるからである。
【００１９】
本発明による装置の好ましい実施形態によれば、運転中、平均ノズル流量は少なくとも実質的に一定に維持される。
【００２０】
したがって、例えば特定の紙グレードの製造中に、次の乾燥の際に蒸発する水量を長時間にわたる変動にさらさないために、平均ノズル流量を一定に維持することが可能であり、このことは、紙ウェブ内の時間的に安定した最終乾燥率が達成されることを意味する。
【００２１】
既述したように、それぞれのノズル流量は、機械横方向の湿潤特性に影響を与えるための割合とカールに影響を与えるための割合とから構成することができる。この場合、ベース負荷として設けられたカールに影響を与えるための割合は、特に、合計ノズル流量の１０〜５０％の範囲にあり得るかまたは調整可能であり得る。
【００２２】
ベース負荷として設けられたカールに影響を与えるための割合は、ウェブ幅にわたりセクション毎に異なって調整できることが好ましい。しかし、原則として、ベース負荷として設けられたカールに影響を与えるための割合も、ウェブ幅にわたって一定であり得る。
【００２３】
湿潤装置の容量は、カールのベース負荷にもかかわらず、機械横方向の湿潤特性に影響を与えるために十分な可能性がある程度に、十分に高く選択されることが好ましい。
【００２４】
同様に、カールに影響を与えることに関係するノズルの平均流量の割合が、＞＝２リットル／時間、特に≧３リットル／時間、好ましくは≧４リットル／時間であるならば、特に有利である。
【００２５】
湿潤ユニットは、各々の場合にウェブ走行方向に対し横断方向に延在する複数列のノズルを備えることが好ましい。この場合、例えば、２列または４列のノズルを設けることができる。５、６、７または８列のノズルを有利に設けることもでき、６列または８列のノズルを設けることが好ましい。
【００２６】
カールを同時に成形して影響を与えるために、ノズル湿潤器の複数の構造的および技術的な構想が考えられる。
【００２７】
したがって、本発明による装置の適切な実施形態によれば、例えば、ノズル湿潤器のすべてのノズルは、繊維ウェブの機械横方向の湿潤特性およびカールの両方に同時に影響を与えるために使用することができる。
【００２８】
他の実施形態では、例えば、ノズル湿潤器のノズルのあるものは、機械横方向の湿潤特性に影響を与えるためにもっぱら使用され、またノズルのあるものは、カールに影響を与えるためにもっぱら使用される。
【００２９】
本発明のさらなる実施形態によれば、ノズル湿潤器のノズルのあるものは、繊維ウェブの機械横方向の湿潤特性およびカールの両方に同時に影響を与えるために使用され、またノズルのあるものは、カールに影響を与えるためにもっぱら使用される。
【００３０】
例えば、ノズル湿潤器のノズルのいくつかが、繊維ウェブの機械横方向の湿潤特性およびカールの両方に同時に影響を与えるために使用され、またノズルのいくつかが、機械横方向の湿潤特性に影響を与えるためにもっぱら使用される実施形態も考えられる。
【００３１】
原則として、他の任意の所望のノズル湿潤器構想も考えられる。
【００３２】
機械横方向の湿潤特性に影響を与えるために湿潤ユニットによって放出されるスプレ体積を、横方向で見てセクションごとに別個に調整できる。個々の各ノズルは別個に調整できることが好ましい。
【００３３】
少なくとも機械横方向の湿潤特性に影響を与えるために、少なくとも１つの閉制御ループおよび／または少なくとも１つの開制御ループを設けることが有利である。
【００３４】
本発明による装置の好ましい実施形態によれば、カールに対する影響の閉ループ制御または開ループ制御は、平均ウェブ水分、特に実験室試験で決定されたカールの大きさの関数として実施される。
【００３５】
湿潤ユニットは、繊維ウェブの乾燥率が≧８０％、好ましくは≧８５％である領域に配置されることが有利である。
【００３６】
セクション化またはゾーン分割は可変であることが好ましい。例えば、ゾーン幅は、２５〜１００ｍｍの範囲で可変であり得る。
【００３７】
湿潤ユニットは、単一列の乾燥グループ内の下方ロールの下に配置されることが好ましい。
【００３８】
特定の例では、湿潤ユニットが、最後または最後から２番目の乾燥グループの最後の吸引ロールに取り付けられるならば、同様に有利である。
【００３９】
本発明による装置のさらに適切な実施形態によれば、乾燥セクションに続くカレンダ装置の前またはその中で、繊維ウェブのカールまたは平坦度および表面仕上げにさらに影響を与えるために、蒸気送風機ボックスが設けられる。したがって、本発明による湿潤ユニットは、紙の平坦度および表面仕上げをさらに改善するために、特に、乾燥セクションに続くカレンダ装置の前またはその中で使用される蒸気湿潤器と組み合わせて設けることもできる。
【００４０】
本発明による装置は、紙または厚紙の完全にまたは部分的に片側の乾燥を有するか、あるいは片側の表面処理、例えばサイジングまたはコーティングを有するか、あるいは非対称の層構造を有する製紙工程に特に有利に使用することができる。
【００４１】
本発明によれば、冒頭に示した目的は、繊維ウェブの機械横方向の湿潤特性に影響を与えるためにまたカールに影響を与えるために、共通の湿潤ユニットが使用され、この湿潤ユニットを介して、機械横方向の湿潤特性およびカールに互いに別個に影響を与えることができる、繊維ウェブ、特に紙または厚紙ウェブを製造および／または処理するための方法によってさらに達成される。
【００４２】
本発明による方法の好ましい改良は、従属請求項に規定される。
【００４３】
本発明による解決方法に基づき、水分および平坦度を補正するには、単一ユニットで十分である。全体としての結果は、投資に対する必要性が小さくなり、また整備費用が小さくなることである。繊維ウェブの機械横方向の湿潤特性および平坦度に同時に影響を与えるため繊維ウェブを再湿潤するための本発明によるユニットにより、カール補正用の下流側の湿潤装置の使用が省略されるので、紙の湿潤特性および表面特性の引き続く望ましくない影響も除外される。
【００４４】
模範的な実施形態を用いてまた図面を参照して、本発明について以下により詳細に説明する。
【発明を実施するための最良の形態】
【００４５】
図１は、特に紙または厚紙ウェブであり得る繊維ウェブ１２を製造および／または処理するための装置１０の部分概略図である。装置１０はまた、特に製紙機械であり得る。図１では、乾燥セクション１４の部分と、繊維または紙ウェブ１２がリールされるリール装置１６とを見ることができる。
【００４６】
乾燥セクション１４の領域に、本例の場合、上方乾燥シリンダ２０を備える単一列の乾燥グループの吸引ロール１８の下に、繊維ウェブ１２の機械横方向の湿潤特性およびカールの両方に同時に影響を与えるために、湿潤ユニット２２が設けられ、当該湿潤ユニット２２に開ループおよび／または閉ループ制御ユニット２４が割り当てられる。
【００４７】
湿潤ユニット２２は、特に、繊維ウェブ１２の機械横方向の湿潤特性およびカールの両方に同時に影響を与えるために使用されるノズル湿潤器を備えることができる。
【００４８】
図１から分かるように、湿潤ユニット２２は、複数列のノズル２６、本例の場合、例えば、ウェブ走行方向Ｌに対し横断方向に延在する４列のノズル２６を有し、これらのノズルを介して、吸引ロール１８の周りに導かれる繊維ウェブ１２に適切に作用することができる。
【００４９】
カールを同時に成形して影響を与えるために、ノズル湿潤器の複数の構造的および技術的な構想が考えられる。
【００５０】
このように、本発明による装置の適切な実施形態によれば、例えば、ノズル湿潤器のすべてのノズルは、繊維ウェブの機械横方向の湿潤特性およびカールの両方に同時に影響を与えるために使用することができる。
【００５１】
他の適切な実施態様では、例えば、ノズル湿潤器のノズルのあるものは、機械横方向の湿潤特性に影響を与えるためにもっぱら使用され、またノズルのあるものは、カールに影響を与えるためにもっぱら使用される。
【００５２】
さらに適切な実施態様によれば、ノズル湿潤器のノズルのあるものは、繊維ウェブの機械横方向の湿潤特性およびカールの両方に同時に影響を与えるために使用され、またノズルのあるものは、カールに影響を与えるためにもっぱら使用される。
【００５３】
例えば、ノズル湿潤器のノズルのいくつかが、繊維ウェブの機械横方向の湿潤特性に影響を与えるためにかつカールに影響を与えるために同時に使用され、ノズルのいくつかが、機械横方向の湿潤特性に影響を与えるためにもっぱら使用される実施形態も考えられる。
【００５４】
原則として、他の任意の所望のノズル湿潤器構想も考えられる。
【００５５】
本例のノズル湿潤器によって形成される湿潤ユニット２２には、空気噴霧器ノズル２６、また例えば、独国特許出願公開第  １９９  ４９  ２３６  Ａ号明細書に記載されているような２物質ノズル２６を特に設けることができる。しかし、原則として、他の任意の所望のノズルタイプも使用することができる。
【００５６】
ノズル２６の合計流量をノズルの数で除算して決定されたノズル２６の平均流量は、≧１５リットル／時間であることが好ましい。ノズル２６によって発生される各スプレジェット２８では、ザウターによる液滴直径は、それぞれのノズル流量に関係なく、≦１００μｍであることが好ましい。
【００５７】
ウェブ走行方向Ｌのリード列のノズルは、カールに介入するために設けられるが、残りの３列の追随ノズル列２６は、機械横方向の湿潤特性に影響を与えるために使用される。既述のように、原則として、他の任意の所望の数の列のノズルも考えられる。
【００５８】
乾燥セクション１４とリール装置１６との間の領域には、横断測定装置２８が設けられ、この装置は、ウェブ水分に関する個々の測定値ｘ、および対応する方法で機械横方向の湿潤特性のそれぞれの瞬間的な記録を開ループおよび／または閉ループ制御ユニット２４に供給する。
【００５９】
開ループおよび／または閉ループ制御ユニット２４を介して、ノズル２６の列に通じるライン３２の弁３０は、適切に駆動または調整される。
【００６０】
機械横方向の湿潤特性に影響を与えるために関連の列のノズル２６によって放出されるスプレ体積は、横方向で見てセクションごとに別個に調整できることが好ましい。特に、各関連の列のノズルについて、機械横方向の湿潤特性を別個に調整できる実施形態も考えられる。機械横方向の湿潤特性に影響を与えるために、開ループおよび／または閉ループ制御ユニット２４は、１つ以上の閉および／または開制御ループ３４を備えることができる。開ループおよび／または閉ループ制御ユニット２４はまた、カールに影響を与えるために１つ以上の閉および／または開制御ループ３６を再び備えることが好ましい。さらに、例えば、これらのループを監督する１つ以上の開および／または閉制御ループも設けることができる。一般に、両方の関数（機械横方向の湿潤、カール）を含む開ループおよび／または閉ループ制御が考えられる。
【００６１】
カールに影響を与えるために、関連の列のノズル２６、例えば、ウェブ走行方向Ｌに観測されるような第１の列のノズルは、例えば幅にわたる平均によって開ループおよび／または閉ループ制御ユニット２４に生成されていた適切な操作変数で、開ループおよび／または閉ループ制御ユニット２４を介して作用され、また前記操作変数を介して、カールに影響を与えるためのノズル流量の割合を決定するベース負荷が調整される。
【００６２】
開ループおよび／または閉ループ制御ユニット２４の制御出力ｘ１−ｘｎに接続された制御ライン４２を介して、機械横方向の湿潤特性に影響を与えるために使用される残りの列の弁２６が、関連の局所的な水分値ｘ１で作用される。この場合、特に、機械横方向の湿潤特性の制御を実施することができる。しかし、原則として、開ループ制御も考えられる。さらに、原則として、カールに影響を与えることに関し、開ループ制御および閉ループ制御の両方も考えられる。カールに影響を与えるための操作変数も、原則として手で調整可能であり得る。
【００６３】
それぞれの紙グレードを生成するために、平均の中間ノズル流量を、少なくとも実質的に一定に維持することができる。
【００６４】
図２のグラフには、ウェブ幅にわたるノズル流量が示されている。このグラフから分かるように、それぞれのノズル流量（容量／時間）Ｖ’Ｇｅｓ（ｘ）は、機械横方向の湿潤特性に影響を与えるための割合Ｖ’ＦＱＰ（ｘ）とカールに影響を与えるための割合Ｖ’Ｃｕｒｌとから構成される。この場合、カールに影響を与えるための割合Ｖ’Ｃｕｒｌはベース負荷の種類を形成し、これに、機械横方向の湿潤特性に影響を与えるための可変の割合Ｖ’ＦＱＰが加算される。ベース負荷として設けられたカールに影響を与えるための割合は、ウェブ幅にわたって一定であり得るか、あるいはセクション毎に異なって調整可能であり得る。
【００６５】
図３のグラフには、ノズルの作動または基準特性が、あくまでも一例として示されている。この場合、範囲ａ）はカールのベース負荷を示し、ｂ）は特性の範囲を示している。複数の列のノズルが設けられる場合、これらのノズルは、同一の作動または基準特性または異なる作動または基準特性を有することができる。既述のように、原則として、様々なノズル湿潤器構想を使用できる。
【図面の簡単な説明】
【００６６】
【図１】繊維ウェブの機械横方向の湿潤特性およびカールの両方に同時に影響を与えるために使用される関連の開ループおよび／または閉ループ制御ユニットを有する湿潤ユニットを有する製紙機械の概略部分図である。
【図２】ウェブ幅にわたるノズル流量を示したグラフである。
【図３】ノズルの模範的な作動または基準プロフィルを示したグラフである。
【図１】
2005538267.tif 000003
【図２】
2005538267.tif 000004
【図３】
2005538267.tif 000005
【国際調査報告】
2005538267.tif 000006
2005538267.tif 000007
2005538267.tif 000008
2005538267.tif 000009
2005538267.tif 000010
2005538267.tif 000011